【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】  通話相手先と通話する通話手段と、
前記通話相手先からの受話音声に関わる周波数特性または前記通話相手先への送話音声に関わる周波数特性を変更する周波数特性変更手段と、
前記通話手段による通話が終了した時点の受話音声に関わる周波数特性と送話音声に関わる周波数特性と前記通話相手先の電話番号とを対応付けて記憶管理する周波数特性記憶手段と、
前記通話相手先との通信動作を検出する通信動作検出手段と、
この通信動作検出手段にて前記通話相手先との通信動作を検出すると、この通話相手先の電話番号に対応した受話音声に関わる周波数特性及び送話音声に関わる周波数特性を前記周波数特性記憶手段から検索する周波数特性検索手段と、
この周波数特性検索手段にて検索した受話音声に関わる周波数特性に基づいて前記通話相手先からの受話音声を音質制御するとともに検索した送話音声に関わる周波数特性に基づいて前記通話相手先への送話音声を音質制御する音質制御手段とを有することを特徴とする電話機。
【請求項２】  前記周波数特性変更手段は、
前記通話相手先との通話中に所定操作を検出すると、前記受話音声または前記送話音声に関わる周波数特性を変更することを特徴とする請求項１記載の電話機。
【請求項３】  前記周波数特性変更手段は、
前記通話相手先からの所定ＤＴＭＦ信号を検出すると、前記受話音声または前記送話音声に関わる周波数特性を変更することを特徴とする請求項１又は２記載の電話機。
【請求項４】  前記通信動作検出手段は、
前記通話相手先からの着信動作に伴う前記通話相手先の発信者番号通知を前記通話相手先に関わる通信動作とすることを特徴とする請求項１記載の電話機。
【請求項５】  前記通信動作検出手段は、
前記通話相手先への発信動作を、前記通話相手先に関わる通信動作とすることを特徴とする請求項１記載の電話機。
【請求項６】  前記通話相手先からの受話音声に関わる周波数特性または前記通話相手先への送話音声に関わる周波数特性を表示部に表示する表示手段を有することを特徴とする請求項１記載の電話機。
【請求項７】  通話相手先からの受話音声に関わる周波数特性または前記通話相手先への送話音声に関わる周波数特性を変更すると、通話が終了した時点の受話音声に関わる周波数特性と送話音声に関わる周波数特性と前記通話相手先の電話番号とを対応付けて記憶管理し、前記通話相手先との通信動作を検出すると、この通話相手先の電話番号に対応した受話音声に関わる周波数特性及び送話音声に関わる周波数特性を前記記憶管理内容から検索し、この検索した受話音声に関わる周波数特性に基づいて前記通話相手先からの受話音声を音質制御するとともに検索した送話音声に関わる周波数特性に基づいて前記通話相手先への送話音声を音質制御することを特徴とする電話機の音質制御方法。
【手続補正２】
【補正対象書類名】明細書
【補正対象項目名】０００７
【補正方法】変更
【補正の内容】
【０００７】
【発明が解決しようとする課題】
しかしながら、上記従来の電話機によれば、通話中に、通話音声の内、受話音声の周波数特性を変更し、この変更した周波数特性に基づいて通話中の受話音声、送話音声の音質を制御するようにしたが、この通話中に変更した周波数特性を登録することができないため、再度、同一の電話番号の通話相手先と同一周波数特性に関わる受話音声、送話音声の音質制御を望む場合、その通話中に、再度、周波数特性を変更する必要があり、その操作性がよくない。
【手続補正３】
【補正対象書類名】明細書
【補正対象項目名】０００９
【補正方法】変更
【補正の内容】
【０００９】
【課題を解決するための手段】
上記目的を達成するために本発明の電話機は、通話相手先と通話する通話手段と、前記通話相手先からの受話音声に関わる周波数特性または前記通話相手先への送話音声に関わる周波数特性を変更する周波数特性変更手段と、前記通話手段による通話が終了した時点の受話音声に関わる周波数特性と送話音声に関わる周波数特性と前記通話相手先の電話番号とを対応付けて記憶管理する周波数特性記憶手段と、前記通話相手先との通信動作を検出する通信動作検出手段と、この通信動作検出手段にて前記通話相手先との通信動作を検出すると、この通話相手先の電話番号に対応した受話音声に関わる周波数特性及び送話音声に関わる周波数特性を前記周波数特性記憶手段から検索する周波数特性検索手段と、この周波数特性検索手段にて検索した受話音声に関わる周波数特性に基づいて前記通話相手先からの受話音声を音質制御するとともに検索した送話音声に関わる周波数特性に基づいて前記通話相手先への送話音声を音質制御する音質制御手段とを有するようにした。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
本発明の電話機は、前記周波数特性変更手段が、前記通話相手先との通話中に所定操作を検出すると、前記受話音声または前記送話音声に関わる周波数特性を変更するようにした。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
本発明の電話機は、前記周波数特性変更手段が、前記通話相手先からの所定ＤＴＭＦ信号を検出すると、前記受話音声または前記送話音声に関わる周波数特性を変更するようにした。
【手続補正１２】
【補正対象書類名】明細書
【補正対象項目名】００２５
【補正方法】変更
【補正の内容】
【００２５】
本発明の電話機は、前記通話相手先からの受話音声に関わる周波数特性または前記通話相手先への送話音声に関わる周波数特性を表示部に表示する表示手段を有するようにした。
従って、本発明の電話機によれば、周波数特性が電話機の表示部に表示されるので、電話機のユーザが現在設定中の周波数特性並びに周波数特性が変更可能であることを視覚的に認識することができる。
本発明の電話機の音質制御方法は、通話相手先からの受話音声に関わる周波数特性または前記通話相手先への送話音声に関わる周波数特性を変更すると、通話が終了した時点の受話音声に関わる周波数特性と送話音声に関わる周波数特性と前記通話相手先の電話番号とを対応付けて記憶管理し、前記通話相手先との通信動作を検出すると、この通話相手先の電話番号に対応した受話音声に関わる周波数特性及び送話音声に関わる周波数特性を前記記憶管理内容から検索し、この検索した受話音声に関わる周波数特性に基づいて前記通話相手先からの受話音声を音質制御するとともに検索した送話音声に関わる周波数特性に基づいて前記通話相手先への送話音声を音質制御するようにした。